(57)【要約】【課題】噴霧される液体とコンプレッサからの圧縮空気とが供給される２流体ノズルを備える噴霧器において、コンパクト化を図り、楽に持ち運ぶことができるようにする。【解決手段】噴霧器１は、基台８上に、圧縮空気が吐出されるコンプレッサ２と、液体が貯留される容器４と、圧縮空気と液体とが供給されて液体が霧状に噴霧される２流体ノズル５と、噴霧器１を持ち運ぶ際の取っ手７とを備える。噴霧器１の取っ手７は、容器４内に液体が所定量貯留された状態における噴霧器１の重心を通る垂直線上に配置される。【選択図】図１
2016019962.tif 000002
【特許請求の範囲】
【請求項１】
圧縮空気が吐出されるコンプレッサと、
液体が貯留される容器と、
前記圧縮空気と前記液体とが供給され、前記液体が霧状に噴霧される２流体ノズルと、
持ち運びのための取っ手と、
前記コンプレッサ、前記容器、前記２流体ノズルおよび前記取っ手が設けられる基台とを備える噴霧器であって、
前記容器内に前記液体が所定量貯留された状態における前記噴霧器の重心を通る垂直線上に、前記取っ手が配置される
ことを特徴とする噴霧器。
【請求項２】
前記基台上に、前記コンプレッサ、前記容器、前記２流体ノズルおよび前記取っ手が設けられ、
前記基台の縁部には、一部を残して下方への延出部が設けられる
ことを特徴とする請求項１に記載の噴霧器。
【請求項３】
前記基台には、前記容器の外周部を覆うカバーが設けられる
ことを特徴とする請求項１または請求項２に記載の噴霧器。
【発明の詳細な説明】
【技術分野】
【０００１】
本発明は、噴霧される液体とコンプレッサからの圧縮空気とが供給される２流体ノズルを備える噴霧器に関するものである。
【背景技術】
【０００２】
ホテルの室内を清掃する際、作業者は、窓を開けて換気しつつ、室内の清掃を行っているが、窓が開閉できないはめ込みタイプの場合や、窓を開けることで外部の汚れた空気が室内に入り込む場合には、レバー式の消臭スプレーなどを使用する場合がある。この場合、作業者は、消臭スプレーで薬剤を噴霧する作業と、室内の清掃作業とを別々に行うことになるので、薬剤を噴霧している間は、それ以外の清掃作業を行うことができず、室内の清掃作業を行っている間は、薬剤の噴霧作業を行うことができない。これは、レバー式の消臭スプレーは、レバーを押さなければ薬剤を噴霧することができないからである。
【０００３】
そこで、レバーを押さなくても薬剤を噴霧することができる噴霧器が提案されている。下記特許文献１には、コンプレッサからの圧縮空気と薬液容器（Ｖ）からの薬液とが薬液噴射用ノズル（１）に供給され、圧縮空気の薬液噴射用ノズル（１）への供給の有無が、ボール弁の開閉によりなされている薬液噴霧器（４）が開示されている。この薬液噴霧器（４）には、いろいろな場所に仮置きできるように、三脚（５）が備えられている。
【先行技術文献】
【特許文献】
【０００４】
【特許文献１】特開２０１１−１１０５４５号公報
【発明の概要】
【発明が解決しようとする課題】
【０００５】
しかしながら、前記特許文献１に開示された薬液噴霧器は、それを持ち運ぶことについて十分考慮されていない。通常、作業者は、噴霧器を手で持ちながら、噴霧場所へ移動することが多いが、前記特許文献１に記載された薬液噴霧器には、持ち運ぶ際の取っ手が設けられていない。仮に、三脚が取っ手とされた場合、薬液容器よりも重量のあるコンプレッサ側に、力がかかり易くなるので、薬液噴霧器が傾いてバランスが取り難く、持ち運び難い。また、持ち運ぶ際に、重量のあるコンプレッサが前後左右に揺動されるので、持ち運び難さがさらに増すことになる。さらに、前記特許文献１に記載された薬液噴霧器は、コンプレッサを含む全体のコンパクト化について考慮されていないために、使用しづらい。
【０００６】
本発明が解決しようとする課題は、噴霧される液体とコンプレッサからの圧縮空気とが供給される２流体ノズルを備える噴霧器において、コンパクト化を図り、移動させる際に楽に持ち運ぶことができるようにすることにある。
【課題を解決するための手段】
【０００７】
本発明は、前記課題を解決するためになされたもので、請求項１に記載の発明は、圧縮空気が吐出されるコンプレッサと、液体が貯留される容器と、前記圧縮空気と前記液体とが供給され、前記液体が霧状に噴霧される２流体ノズルと、持ち運びのための取っ手と、前記コンプレッサ、前記容器、前記２流体ノズルおよび前記取っ手が設けられる基台とを備える噴霧器であって、前記容器内に前記液体が所定量貯留された状態における前記噴霧器の重心を通る垂直線上に、前記取っ手が配置されることを特徴とする噴霧器である。
【０００８】
請求項２に記載の発明は、前記基台上に、前記コンプレッサ、前記容器、前記２流体ノズルおよび前記取っ手が設けられ、前記基台の縁部には、一部を残して下方への延出部が設けられることを特徴とする請求項１に記載の噴霧器である。
【０００９】
さらに、請求項３に記載の発明は、前記基台には、前記容器の外周部を覆うカバーが設けられることを特徴とする請求項１または請求項２に記載の噴霧器である。
【発明の効果】
【００１０】
請求項１に記載の発明によれば、基台に、コンプレッサ、容器、２流体ノズルおよび取っ手が設けられることで、噴霧器全体としてコンパクト化することができる。また、噴霧器の重心を通る垂直線上に取っ手が配置されることで、取っ手を用いて噴霧器を持ち運ぶ際、噴霧器が傾くことがなく、楽に持ち運ぶことができる。
【００１１】
請求項２に記載の発明によれば、基台の縁部に下方への延出部が設けられることで、延出部が床面などの設置面に接触することになり、設置面と基台の下面との間に隙間を形成することができる。また、基台の縁部の一部に延出部が設けられていないので、前記隙間を通じて水平方向へ、コンプレッサからの音を外部へ逃がすことができる。
【００１２】
さらに、請求項３に記載の発明によれば、容器を覆うカバーを基台に設けることで、噴霧器を持ち運ぶ際に、室内の家具類や壁などの被接触物に容器が接触するのを防止できる。これにより、容器の損傷を防止することができ、容器が基台に着脱可能に設けられている場合には、容器の損傷防止に加えて、基台から容器が不意に落ちることを防止できる。
【図面の簡単な説明】
【００１３】
【図１】本発明の噴霧器の一実施形態を示す概略斜視図である。
【図２】図１の噴霧器の左側面図であり、一部を断面にして示している。
【図３】図１の噴霧器のノズルの取付構造を示す概略分解斜視図である。
【発明を実施するための形態】
【００１４】
以下、本発明の具体的実施の形態を図面に基づいて詳細に説明する。
【００１５】
本実施形態の噴霧器１は、図１および図２に示すように、圧縮空気が吐出されるコンプレッサ２と、液体３が貯留される容器４と、液体３と圧縮空気とが供給される２流体ノズル５と、グリップ６を有する取っ手７と、コンプレッサ２、容器４、２流体ノズル５および取っ手７が設けられる板状の基台８とを備える。
【００１６】
前記コンプレッサ２は、２流体ノズル５への圧縮空気の供給源で、電気コード９の先端部に設けられたプラグがコンセントに差し込まれ、スイッチ１０のオンオフによって、圧縮空気の吐出および停止をすることができる。コンプレッサ２の上部には、圧縮空気の吐出口１１が形成され、吐出口１１と２流体ノズル５とは、圧縮空気の空気供給路であるチューブ１２によって接続される。
【００１７】
前記容器４は、２流体ノズル５から噴霧される液体３を貯留するものである。本実施形態の容器４は、横断面略円形状の容器本体１３と、この容器本体１３に着脱可能に設けられるキャップ１４とを有する。容器本体１３は、中空状であり、液体３を内部に貯留することができる。キャップ１４は、容器本体１３にねじ込みにより着脱可能に設けられる。
【００１８】
前記２流体ノズル５は、供給された圧縮空気の流速によって吸引される液体３を霧状にして噴霧するものである。本実施形態の２流体ノズル５は、従来公知の外部混合型であり、上部に形成された空気入口１５に前述したチューブ１２が接続される。また、２流体ノズル５の後端部には、容器４からの液体入口１６が形成され、液体入口１６に容器４からの液体供給路であるチューブ１７の一端部が接続される。チューブ１７は、容器４のキャップ１４を貫通して、容器本体１３内に延出される。２流体ノズル５の下端部には、下方へ突出して保持部１８が形成される。保持部１８には、左右方向へ貫通して保持穴１９が形成される。
【００１９】
前記取っ手７は、グリップ６と、グリップ６の保持部材２０とを有する。グリップ６は、軸方向が左右方向へ沿う略円柱状であり、合成樹脂などにより形成される。グリップ６の軸方向両端部は、外方へ行くに従って直径が小さくなる円錐台状に形成して、握り易くしている。保持部材２０は、一枚の金属製の板材の長手方向両端部が、上方へ行くに従って互いに離隔して傾斜するように屈曲形成され、その先端部は、上方へ垂直に延出されて、グリップ６を回転不能に保持する軸材２１を支持している。
【００２０】
前記基台８は、矩形板状の第１板部２２と、この第１板部２２の長手方向の一端側に形成された略半円形状の第２板部２３とを有する。本実施形態では、基台８は、金属製とされるが、これに限定されるものではない。
【００２１】
前記基台８の縁部には、第１板部２２の縁部の内、第２板部２３を形成した前縁部を除いて、他の縁部、すなわち左右両縁部と後縁部とが下方へ折り曲げられて延出部２４が設けられる。左右両縁部の延出部２４にはそれぞれ、ゴム製の断面略Ｕ字形状のカバー２５がはめ込まれて、防振や防音効果を高めるようにしている。また、第２板部２３の円弧状の縁部にも、ゴム製の断面略Ｕ字形状の略円弧状のカバー２６がはめ込まれて固定される。
【００２２】
前記基台８の上面の前部の第２板部２３には、容器４を基台８上で保持する上方へ開口する円筒状の保持体２７が設けられる。該保持体２７は、その下端が基台８の上面に当接して固定されている。また、該保持体２７には、容器４の前部の上方外周囲を保護するための略半円弧状の板材からなるカバー２８が上方へ突出して設けられる。このようにして、カバー２８は、保持体２７を介して基台８に設けられる。保持体２７またはカバー２８の内側には、挿入された容器４が安定するように、テーパー面を有する複数のリブ２９が設けられるが、容器４が保持体２７で安定するならば特に必要ではない。なお、保持体２７とカバー２８とは、一体形成してもよい。
【００２３】
図２に示されるように、容器４は、保持体２７の底部に載置される。この際、この実施形態では、保持体２７またはカバー２８に形成された複数のリブ２９が、容器４の下端部の外周面を押圧するように接触することで、容器４が保持体２７の略中央部で保持され、かつ不意に抜け落ちることを防止できる。このようにして、容器４は、保持体２７に着脱可能に設けられる。保持状態では、容器４は、保持体２７から上方へ突出して露出されており、その露出部の内、容器本体１３の外周面前部がカバー２８によって、衝撃を受けないように覆われている。
【００２４】
前記基台８の上面の後部には、前述したコンプレッサ２が設けられる。本実施形態では、コンプレッサ２は、基台８の上面に、４つの脚部３０を介して固定される。各脚部３０は、ゴム製の略円錐台状であり、コンプレッサ本体３１にネジ３２で固定される。また、各脚部３０は、基台８にネジ３３で固定される。
【００２５】
前記基台８の前後方向中央部よりも前方へ若干ずらした位置に、２流体ノズル５の支持体３４が設けられる。支持体３４は、円筒状で、上端部が大径部３５に形成され、それよりも下側が上下方向へ細長い小径部３６に形成される。支持体３４の大径部３５の上端部には、上方へ開口する溝部３７が形成される。溝部３７の両側壁には、互いに対応するようにして、貫通穴３８が左右方向へ沿って形成される。
【００２６】
支持体３４の小径部３６の下端部と基台８との固定は、たとえば図示のように、略Ｌ字形状の固定部材３９によりなされる。具体的には、固定部材３９の一片４０と小径部３６との固定は、ボルト４１へのナットの締付けによりなされ、固定部材３９の他片４２と基台８との固定は、ボルト４３へのナット４４の締め付けによりなされる。このようにして、支持体３４は、固定部材３９によって基台８の上面に固定される。
【００２７】
また、図１から図３に示されるように、２流体ノズル５は、両側壁間を架け渡すようにして両貫通穴３８，３８に軸部材４５が差し込まれると共に、その軸部材４５が保持部１８に形成された保持穴１９に貫通してはめ込まれることで、支持体３４に保持される。軸部材４５は、図３に示されるように、左右方向へ開口する略円筒状とされ、左右両端部が割れピン状に形成される。従って、軸部材４５を介して支持体３４に保持される２流体ノズル５は、支持体３４に対して上下方向へ回転可能とされると共に、任意の回転位置で保持することができる。
【００２８】
図１および図２に示されるように、取っ手７は、支持部材４６を介して、２流体ノズル５の支持体３４に設けられる。支持部材４６は、支持体３４への固定片４７と、固定片４７から外方への延出片４８とを有する。固定片４７は、上下方向へ開口する円筒状であり、内径が支持体３４の小径部３６の外径に対応している。延出片４８は、縦断面略コ字形状の板材であり、その水平部４９の左右幅が後方へ行くに従って大きく形成される。延出片４８は、前端部が固定片４７の周側壁に固定されて、後方へ延出される。
【００２９】
支持部材４６は、固定片４７の内穴に支持体３４の小径部３６を上下方向へ貫通させた状態で、固定片４７および小径部３６に形成された穴を貫通してボルト５０が差し込まれ、そのボルト５０にナットが締め付けられることで、支持体３４に固定される。この際、固定片４７は、小径部３６の上端部に配置される。支持部材４６の水平部４９には、貫通穴５１，５１が前後方向へ離隔して形成される。前側の貫通穴５１には、チューブ１７が通され、後側の貫通穴５１には、チューブ１２が通される。
【００３０】
支持部材４６の水平部４９の後端部に、取っ手７が保持される。具体的には、取っ手７の保持部材２０の中央片５２が支持部材４６の水平部４９に載せ置かれた状態で、中央片５２および水平部４９に形成された穴を貫通してボルト５３が差し込まれ、そのボルト５３にナット５４が締め付けられる。このようにして、取っ手７は、支持部材４６および２流体ノズル５の支持体３４を介して、基台８に保持される。この際、取っ手７は、容器４内に液体３が所定量貯留された状態における噴霧器１の重心を通る垂直線Ｌ上に配置される。容器４内に貯留される液体３の量は、適宜に設定されるが、たとえば、ホテルなどの室内の清掃者が噴霧器１を使用する場合には、一部屋の空気を殺菌することができる量とされるのが好ましい。
【００３１】
ところで、チューブ１２の中途には、衛生面を考慮して、フィルター５５が交換可能に設けられる。このフィルター５５は、保持材５６を介して支持体３４に保持される。保持材５６は、板部５７が支持体３４の外周面に固定されると共に、挟持部５８にフィルター５５が着脱可能に挟持される。このようにしてフィルター５５が設けられることで、２流体ノズル５に、フィルター５５を介した清浄空気を供給することができる。また、チューブ１２の中途には、２流体ノズル５の近傍に絞り５９が設けられる。これにより、２流体ノズル５への圧縮空気の供給量を調整することができ、２流体ノズル５からの液体３の噴霧量を調整することができる。
【００３２】
本実施形態の噴霧器１は、たとえば、前述したように、ホテルなどの室内の清掃者に使用される。この場合、容器４内に貯留される液体３は、次亜塩素酸ナトリウムを含む水溶液が好ましい。また、容器４内の液体３の貯留量は、一部屋を殺菌できる量として、たとえば約５００ｃｃとされる。
【００３３】
清掃者は、容器４内に液体３が貯留された噴霧器１を、取っ手７のグリップ６を持って運び、室内の床面などの設置面Ａに載置する。ここで、２流体ノズル５は、図２に示されるように、斜め上方へ向けて保持される。そして、プラグをコンセントに差し込み、スイッチ１０をオンの状態にし、コンプレッサ２を作動させる。これにより、コンプレッサ２からの圧縮空気がチューブ１２を介して２流体ノズル５へ供給されると共に、この圧縮空気により容器４内の液体３がチューブ１７を介して吸い上げられ、圧縮空気と液体３とが混合されて、液体３が斜め上方へ向けて霧状に噴霧される。これにより、室内の空気の殺菌を行うことができる。この際、チューブ１２に設けられた絞り５９によって、圧縮空気の供給量が調整され、噴霧量が調整される。たとえば、清掃者が室内を清掃するのにかかる時間である約２０分間で、容器４内の液体３が噴霧されるように調整される。
【００３４】
コンプレッサ２のスイッチ１０をオンの状態にしておくことで、２流体ノズル５から液体３が噴霧され続けるので、清掃者は噴霧中に室内の清掃を行うことができる。噴霧終了後、コンプレッサ２のスイッチ１０がオフの状態にされ、コンプレッサ２の運転が停止される。清掃および噴霧終了後、次に清掃する室内において、先ほどと同様にして、室内の清掃と噴霧器１による室内の殺菌が行われる。なお、先の殺菌において、容器４内は、空の状態となっているので、液体３を補給する必要がある。本実施形態では、液体３が貯留された容器４を複数用意しておき、容器４を交換することで、液体３の補給が行われる。この場合、チューブ１７は、容器４のキャップ１４を貫通して延出しているので、その貫通部を容器４から抜き取り、交換後の容器４のキャップ１４に形成された穴に貫通させればよい。
【００３５】
本実施形態の噴霧器１によれば、コンプレッサ２、容器４、２流体ノズル５および取っ手７などが基台８に設けられることで、噴霧器１全体としてコンパクト化することができる。また、本実施形態の噴霧器１によれば、噴霧器１の重心を通る垂直線Ｌ上に取っ手７が配置されることで、噴霧器１を持ち運ぶ際に、噴霧器１が前方や後方に傾くことがなく、楽に持ち運ぶことができる。また、本実施形態の噴霧器１によれば、基台８の縁部に、一部を残して下方への延出部２４が設けられることで、噴霧器１が床面などの設置面Ａに載せ置かれた際に、左右両縁部からの延出部２４が設置面Ａに接触される。これにより、基台８と設置面Ａとの間に隙間６０を形成することができると共に、その隙間６０と外部とを連通させる前方への開口部６１を形成することができる。従って、コンプレッサ２を作動させた際に発生する音は、隙間６０から開口部６１を介して逃がすことができる。
【００３６】
また、本実施形態の噴霧器１によれば、容器４の保持体２７からの露出部分の前部を覆うようにカバー２８が設けられることで、噴霧器１を持ち運ぶ際に、室内の家具類や壁などの被接触物に容器４が接触することを防止できる。これにより、容器４の損傷を防止することができ、容器４が不意に保持体２７から抜け落ちることを防止できる。また、本実施形態の噴霧器１によれば、容器４が保持体２７の底部にリブ２９で保持されることで、安定化を図れると共に、容器４の着脱を容易に行うことができる。従って、液体３を補給する際において、容器４の交換を容易に行うことができる。
【００３７】
また、本実施形態の噴霧器１によれば、コンプレッサ２の脚部３０がゴム製とされ、基台８の下方への延出部２４にゴム製のカバー２５が設けられることで、コンプレッサ２の音や振動を抑えることができる。また、本実施形態の噴霧器１によれば、第２板部２３の縁部にゴム製のカバー２６が設けられることで、室内の家具類や壁などに第２板部２３が接触した際に、その家具類や壁などが損傷することを防止できる。また、本実施形態の噴霧器１によれば、チューブ１２およびチューブ１７が支持部材４６を貫通していることで、噴霧器１を持ち運ぶ際に、それらのチューブ１２，１７がぶらつくことを防止できる。さらに、本実施形態の噴霧器１によれば、コンプレッサ２のモータの発熱によって、高温の圧縮空気を吐出でき、噴霧される液体３が気化しやすい。
【００３８】
本発明の噴霧器は、前記実施形態の構成に限らず、適宜変更可能である。たとえば、前記実施形態では、前から順に、容器４、２流体ノズル５およびコンプレッサ２が基台８に設けられたが、それらの配置はこれに限定されるものではなく、適宜に変更可能とされる。また、前記実施形態では、容器４が基台８の前部に配置されたことで、容器４の前部が被接触物と接触する可能性のある部分とされ、それを覆うようにカバー２８が設けられた。従って、容器４の配置が変更されることで、容器４の被接触物と接触する可能性のある部分も前記実施形態とは異なるが、その変更後の配置において、容器４の被接触物と接触する可能性のある部分を覆うようにカバーを設ければよい。
【００３９】
また、前記実施形態では、液体３の補給は、容器４を交換することで行われたが、容器４のキャップ１４を外して、容器本体１３内に液体３を直接補給してもよい。また、前記実施形態では、噴霧器１は、室内の空気の殺菌装置とされたが、これに限定されるものではなく、たとえば、周囲の温度を低下させたり湿度を上げるための水の噴霧器としてもよい。すなわち、容器４内に貯留される液体３は、次亜塩素酸ナトリウムを含む水溶液に限定されるものではない。さらに、基台８、容器４および取っ手７の構成が適宜変更可能なことは言うまでもない。
【符号の説明】
【００４０】
１  噴霧器
２  コンプレッサ
３  液体
４  容器
５  ２流体ノズル
６  グリップ
７  取っ手
８  基台
１２  チューブ
１７  チューブ
２４  延出部
２８  カバー
６０  隙間
６１  開口部
【図１】
2016019962.tif 000003
【図２】
2016019962.tif 000004
【図３】
2016019962.tif 000005